(57)【特許請求の範囲】
【請求項１】
コード等の可撓性の細長い部材を引っ張るための引張り装置であって、
前記細長い部材第１の端部で、前記細長い部材を直接的または間接的に巻き付けたり繰り出したりするために軸の周りを回転することができる第１の巻き付け部材と、
前記細長い部材の第２の端部で、前記細長い部材を直接的または間接的に引っ張るために、前記軸の周りを回転することができる第２の巻き付け部材と、
を備え、
前記細長い部材にプレストレスを与えるために前記第１の巻き付け部材と前記第２の巻き付け部材との間の相対回転を生じさせようとする引張り部材によって、前記第１の巻き付け部材及び第２の巻き付け部材が相互連結される、引張り装置において、
前記第１の巻き付け部材と前記第２の巻き付け部材との間の最大限の相対回転を制限する制限手段が設けられることを特徴とする引張り装置。
【請求項２】
前記制限手段が、前記第１の巻き付け部材及び第２の巻き付け部材に、協働する対応策を備える、請求項１に記載の引張り装置。
【請求項３】
前記制限手段が、前記第１の巻き付け手段及び第２の巻き付け手段に突起部を含む、請求項２に記載の引張り装置。
【請求項４】
前記制限手段が、前記第１の巻き付け手段及び第２の巻き付け手段に協働する突起部及びくぼみを含む、請求項２に記載の引張り装置。
【請求項５】
前記制限手段が、前記第１の巻き付け部材と第２の巻き付け部材との間の最大限の相対回転を１回転未満に制限する、請求項１から４のいずれか一項に記載の引張り装置。
【請求項６】
前記引張り部材が、コイルバネである、請求項１から５のいずれか一項に記載の引張り装置。
【請求項７】
日よけ幕を巻き付けたり繰り出したりするために軸の周りを回転することができる巻き付けシャフトを備える日よけ幕アセンブリであって、前記日よけ幕が、前記巻き付けシャフトから離れた自由端部を有し、前記巻き付けシャフトが、反転ローラに回して延在する可撓性の細長い部材のうちの第１の端部によって係合されており、前記細長い部材が、前記軸の周りを回転可能な巻き付けディスクによって巻き付けたり繰り出したりすることができる第２の端部を有し、前記巻き付けシャフト及び前記巻き付けディスクが、請求項１から６のいずれか一項に記載の引張り装置の第２の巻き付け部材及び第１の巻き付け部材をそれぞれ規定する、日よけ幕アセンブリ。
【請求項８】
可動式のルーフパネルによって開閉可能である、固定ルーフ部分内のルーフ開口部を含む車両のオープンルーフ構造に設けられる、請求項７に記載の日よけ幕アセンブリ。
【発明の詳細な説明】
【技術分野】
【０００１】
本発明は、第１に、コード等の可撓性の細長い部材を引っ張るための引張り装置（tensioning device）であって、細長い部材の第１の端部で、細長い部材を直接的または間接的に巻き付けたり繰り出したりするために軸の周りを回転することができる第１の巻き付け部材と、細長い部材の第２の端部で、細長い部材を直接的または間接的に引っ張るために、軸の周りを回転することができる第２の巻き付け部材と、を備え、細長い部材にプレストレス（prestress）を与えるために第１の巻き付け部材と第２の巻き付け部材との間の相対回転を生じさせようとする引張り部材によって、第１の巻き付け部材及び第２の巻き付け部材が相互連結される、引張り装置に関する。
【背景技術】
【０００２】
例えば、そのような引張り装置は、日よけ幕（sunscreen）を巻き付けたり繰り出したりするために軸の周りを回転することができる巻き付けシャフトを備える、日よけ幕アセンブリに適用される。巻き付けシャフトから離れた日よけ幕の自由端は、可撓性の細長い部材の第１の端部によって係合され、この可撓性の細長い部材は、反転ローラ（reversal roller）に回して延在しており、前記軸の周りを回転可能な巻き付けディスクによって巻き付けたり繰り出したりすることができる第２の端部を有する。本明細書では、巻き付けシャフトは、第１の巻き付け部材を規定し、巻き付けディスクは、一般的にはコイルバネによって相互連結された引張り装置の第２の巻き付け部材を規定する。
【０００３】
しかし、この知られている引張り装置は、細長い部材（上記の日よけ幕アセンブリにおいては日よけ幕）の第１の端部が、あまりにも速く第１の巻き付け部材に向って移動される（上記の日よけ幕アセンブリにおいては、巻き付けシャフトに日よけ幕を巻き取る場合を意味する）と、巻き付けシャフトの慣性により、細長い部材をその第１の端部において緊張状態（taut state）に維持することが妨げられることがあり（上記の日よけ幕アセンブリにおいては、日よけ幕が緊張状態に維持されないことを意味する）、それにより、細長い部材が弛んで第１の巻き付け部材（巻き付けシャフト）に正確に巻き付けられなくなるという欠点を有する。更に、細長い部材（上記の日よけ幕アセンブリにおいては日よけ幕）の第１の端部が、あまりにも速く第１の巻き付け部材から遠ざけられる（上記の日よけ幕アセンブリにおいては、巻き付けシャフトから日よけ幕を繰り出す場合を意味する）と、第２の巻き付け部材の慣性により、細長い部材を緊張状態に維持することが妨げられることがあり、それにより、細長い部材が弛んで引張り装置の機能が失われる結果となる。
【発明の開示】
【発明が解決しようとする課題】
【０００４】
本発明の目的は、上述のタイプの改良された引張り装置を提供することである。
【課題を解決するための手段】
【０００５】
従って本発明によれば、引張り装置は、第１の巻き付け部材と第２の巻き付け部材との間の最大限の相対回転（maximum possible relative rotation）を制限する制限手段（restriction means）が提供されることを特徴とする。
【０００６】
第１の巻き付け部材と第２の巻き付け部材間の回転許容量は、細長い部材がどのような状況においても緊張状態にあるように選択することができる。更に、本発明の概念により、第１の巻き付け部材及び第２の巻き付け部材が、細長い部材が提供される前（日よけ幕アセンブリにおいては、日よけ幕が装着される前を意味する）に事前に張力が与えられた状態で組み立てられることが可能になる。
【０００７】
前記最大限の回転を制限する方法は、多く存在する。例えば、制限手段は、第１の巻き付け手段及び第２の巻き付け手段上の突起部等の、第１の巻き付け部材及び第２の巻き付け部材に協働する対応策（provision）を備えることができる。代替実施形態の例として、第１の巻き付け手段及び第２の巻き付け手段の協働する突起部及びくぼみを挙げることができる。
【０００８】
制限手段は、第１の巻き付け部材と第２の巻き付け部材との間の最大限の相対回転を１回転未満に制限することが好ましい。
【０００９】
更に、引張り部材はコイルバネであることが可能である。しかし、他の任意の適切な引張り部材を使用してもよい。
【００１０】
本発明は、第２に、日よけ幕を巻き付けたり繰り出したりするために軸の周りを回転することができる巻き付けシャフトを備える日よけ幕アセンブリであって、前記日よけ幕が、前記巻き付けシャフトから離れた自由端部を有し、前記巻き付けシャフトが、反転ローラに回して延在する可撓性の細長い部材のうちの第１の端部によって係合されており、その細長い部材が、前記軸の周りを回転可能な巻き付けディスクによって巻き付けたり繰り出したりすることができる第２の端部を有する日よけ幕アセンブリに関する。巻き付けシャフト及び巻き付けディスクは、本発明に係る引張り装置の第２の巻き付け部材及び第１の巻き付け部材をそれぞれ規定する。
【００１１】
そのような日よけ幕アセンブリは、可動式ルーフパネルによって開閉可能である、固定ルーフ部分内のルーフ開口部を含む、車両のオープンルーフ構造に提供することができる。
【００１２】
これ以降、図を参照しながら本発明を明らかにする。
【発明を実施するための最良の形態】
【００１３】
最初に図１を参照すると、組立前の引張り装置のいくつかの部分が示されている。第１の突起部２を備える第１の巻き付け部材１が、示されている。第１の巻き付け部材１には、軸４をその中に受け入れるための中央開口部３が設けられている。同様に、第２の巻き付け部材５には、第２の突起部６と、軸４をその中に受け入れるための中央開口部７とが設けられている。最後に、軸４は、（詳細には示されていない方法で）第１の巻き付け部材１及び第２の巻き付け部材５のそれぞれに連結されることになる両端部９を有するコイルバネ８によって包囲されている。
【００１４】
第１の巻き付け部材１及び第２の巻き付け部材５のそれぞれは、これら巻き付け部材間で相対回転するように軸４に取り付けられる。従って、巻き付け部材１及び巻き付け部材５の両方は、軸４に対して相対的に回転することができ、あるいは前記巻き付け部材の一方、例えば巻き付け部材１が軸４に固定される（その結果、前記軸４が前記巻き付け部材と共に回転する）ことが可能である。
【００１５】
組み立てられた位置では、巻き付け部材１及び巻き付け部材５それぞれの突起部２及び突起部６は、前記巻き付け部材間の相対回転が最終的に前記突起部２及び突起部６間の係合をもたらす位置になるように設計される。図２では、巻き付け部材１及び巻き付け部材５のそのように組み立てられた位置がより拡大して示されている。図２では、軸４及びコイルバネ８が図示されていないことが留意される。
【００１６】
巻き付け部材１及び巻き付け部材５それぞれの突起部２と突起部６との間の協働が、第１の巻き付け部材１と第２の巻き付け部材５のそれぞれの間の最大限の相対回転を規定することが明白である。そのような最大限の相対回転は、角度α及び角度βによって図３に示されている。図３は、巻き付け部材１及び巻き付け部材５のそれぞれの開始位置にある突起部２及び突起部６を示している（この開始位置は、例えば、コイルバネ８からのプレストレス以外は、引張り装置に外部負荷がかけられない位置であり得る）。示された角度αは、回転の第１の方向における、巻き付け部材１及び巻き付け部材５の間の最大限の相対回転を示し、一方で角度βは、回転の反対の方向における、巻き付け部材１及び巻き付け部材５の間の最大限の相対回転を示す。当然ながら、角度αは角度βと同じであることも可能であり得る。
【００１７】
図３から、必要に応じて第１の巻き付け部材１と第２の巻き付け部材５のそれぞれの間の最大限の相対回転を修正するために、突起部２及び突起部６の形状及び位置を修正してよいことはすぐに判断が付く。更に、巻き付け部材上の突起部の数が図示されているものと異なってよいことは明白である。また、巻き付け部材１及び巻き付け部材５上の他の手段を、巻き付け部材間の最大限の相対回転を制限する制限手段として働かせることができる。
【００１８】
更に、第１の巻き付け部材１と第２の巻き付け部材５のそれぞれの間の許容される最大限の相対回転は、引張り装置または引張り装置が組み込まれた任意の装置の通常の作動に必要とされる相対回転を妨げない程度の大きさであるべきであることが留意される。
【００１９】
図４は、本発明による引張り装置の可能な使用を示す。ルーフ開口部１１が中に設けられた車両の固定ルーフ１０の概略的な部分が、点線で示されている。ルーフ開口部１１は、オープンルーフ構造の一部分であり、可動式のルーフパネル（図示せず）によって開閉可能であり、そのオープンルーフ構造は更に日よけ幕アセンブリを備える。日よけ幕アセンブリは、（車両の固定ルーフ１０に取り付けられた）軸１３の周りを回転することができる巻き付けシャフトまたはチューブ１２を備える。
【００２０】
第１の端部が巻き付けシャフト１２に巻き取れたりそこから繰り出されたりすることが可能である、日よけ幕１４が提供される。日よけ幕１４は、プルバー１６に取り付けられた、その第１の端部から離れた第２の端部１５を含む。プルバー１６は、日よけ幕１４を巻き付けたり繰り出したりするために、ルーフ開口部１１の両側に沿って長手方向に延びるガイド（図示せず）に沿って手動で移動させることができる。
【００２１】
可撓性の細長い部材１７（例えばコード）は、プルバー１６と係合する第１の端部を有する。細長い部材１７は、反転ローラ１８に回して延在し、軸１３の周りを回転することができる巻き付けディスク１９によって巻き付けたり繰り出したりすることが可能である第２の端部を有する。
【００２２】
巻き付けシャフト１２の内部及びそれに非回転式に取り付けられて、部材２０が設けられる。巻き付けディスク１９及び部材２０は、コイルバネ２１によって相互連結される。
【００２３】
部材２０及び巻き付けディスク１９は、図１〜図３による第１の巻き付け部材１及び第２の巻き付け部材５に対応し、従って、部材２０（従って巻き付けシャフト１２）と巻き付けディスク１９との間の最大限の相対回転を制限するための協働する制限手段が設けられる。そのような制限手段、例えば協働する突起部は、図４には示されていない。
【００２４】
コイルバネ２１は、図示された日よけ幕アセンブリの通常の作動時、細長い部材１７（従って日よけ幕１４）が緊張状態に維持される方法でプレストレスが与えられる。例えば、巻き付けシャフト１２からの日よけ幕１４の繰り出しに応じて、細長い部材１７が巻き付けディスク１９に巻き取れることになる。しかし、プルバー１６が日よけ幕１４を巻き取るために巻き付けシャフト１２の方向に非常に速く手動で移動される場合、巻き付けシャフト１２の慣性により、巻き付けシャフト１２上への日よけ幕１４の即座の対応する巻き付けが妨げられることになる。それによって生じた部材２０と巻き付けディスク１９との間の相対回転は、次いで、制限手段（例えば部材２０及び巻き付けディスク１９上の突起部）の間の係合をもたらし、このとき、部材２０（従って巻き付けシャフト１２）は、日よけ幕１４が弛む前に日よけ幕１４を巻き付けシャフト１２に巻き取るように巻き付けディスク１９と共に回転する。その後すぐに、巻き付け部材２０は、再度、コイルバネ２１のプレストレスによって規定された、巻き付けディスク１９に対するその正常な回転位置になる。反対に、プルバー１６が日よけ幕１４を繰り出すために巻き付けシャフト１２から離れる方向に非常に速く手動で移動される場合、巻き付けディスク１９及び細長い部材１７の慣性により、巻き付けディスク１９への細長い部材１７の即座の対応する巻き付けが妨げられることがある。それによって生じた部材２０と巻き付けディスク１９との間の相対回転もまた、次いで、制限手段（例えば部材２０及び巻き付けディスク１９上の突起部）の間の係合をもたらし、このとき、巻き付けディスク１９は、細長い部材１７が弛む前に細長い部材１７を巻き付けディスク１９に巻き取るように部材２０と共に回転する。その後すぐに、巻き付けディスク１９は、再度、コイルバネ２１のプレストレスによって規定された、部材２０に対するその正常な回転位置になる。
【００２５】
図４は、日よけ幕アセンブリが設けられたオープンルーフ構造の片側半分のみを示していることが留意される。
【００２６】
本発明は、上記で説明された実施形態に限定されるものではなく、添付の特許請求の範囲によって規定される本発明の範囲内において広範囲にわたって変更されてよい。
【図面の簡単な説明】
【００２７】
【図１】組立前の引張り装置の一部分の概略斜視図である。
【図２】組立後の図１の部分の一部の相対位置をより拡大して示す図である。
【図３】図２の部分の間の可能な回転を示す図である。
【図４】引張り装置を有する日よけ幕アセンブリを上面図で概略的に示す図である。
【符号の説明】
【００２８】
１  第１の巻き付け部材
２  第１の突起部
３、７  中央開口部
４、１３  軸
５  第２の巻き付け部材
６  第２の突起部
８、２１  コイルバネ
９  端部
１０  固定ルーフ
１１  ルーフ開口部
１２  巻き付けシャフト
１４  日よけ幕
１５  第２の端部
１６  プルバー
１７  細長い部材
１８  反転ローラ
１９  巻き付けディスク
２０  部材
【図１】
0005604040.tif 000002
【図２】
0005604040.tif 000003
【図３】
0005604040.tif 000004
【図４】
0005604040.tif 000005